(57)【特許請求の範囲】
【請求項１】
用紙に形成された画像を読み取る画像読取部が複数接続可能な画像形成装置において、
前記画像形成装置を構成するユニットを調整するためのユニット毎の調整項目情報と、前記画像形成装置と前記複数の画像読取部各々との接続状態を示す接続情報とを記憶する記憶部と、
用紙に画像を形成する画像形成部と、
前記調整項目情報に基づいて調整対象となったユニットに対する調整項目を設定し、
当該設定された調整項目に画質調整を示す項目が含まれ、かつ、前記接続情報により前記複数の画像読取部のうち少なくとも一つが接続状態にある場合には、当該接続状態にある画像読取部のうちいずれか一つを自動的に選択し、
前記画像形成部により形成される画像を当該選択した画像読取部に読み取らせ、当該読み取った画像に基づいて画質調整を行う制御部と、
サイズ毎に用紙を格納する給紙トレイを複数有し、当該給紙トレイのいずれかから用紙を給紙する給紙部と、を備え、
前記記憶部は、
前記給紙トレイ各々に格納されている用紙のサイズを示す格納用紙サイズ情報と、前記複数の画像読取部各々の読取可能な用紙のサイズを示す読取用紙サイズ情報と、を記憶しており、
前記制御部は、
前記画像が形成される用紙が給紙される給紙トレイの前記格納用紙サイズ情報及び前記読取用紙サイズ情報に基づいて、前記複数の画像読取部のうちいずれか一つを選択すること、
を特徴とする画像形成装置。
【請求項２】
前記複数の画像読取部は、
用紙に形成された画像を読み取る第１の画像読取部、
用紙搬送経路上に設けられており搬送中の用紙に形成された画像を読み取る第２の画像読取部、であり、
前記制御部は、
前記接続情報により前記第１の画像読取部及び前記第２の画像読取部が接続状態である場合には、前記第１の画像読取部を優先して選択すること、
を特徴とする請求項１に記載の画像形成装置。
【請求項３】
前記画像形成部により形成される画像に基づいて画質調整に関する情報の入力を受け付ける入力部を備え、
前記制御部は、
前記接続情報により前記複数の画像読取部いずれもが非接続状態である場合には、前記入力部により受け付けられた画質調整に関する情報に基づいて画質調整を行うこと、
を特徴とする請求項１又は２に記載の画像形成装置。
【請求項４】
用紙に形成された画像を読み取る画像読取部が複数接続可能な画像形成装置における画質調整方法において、
前記画像形成装置を構成するユニットを調整するためのユニット毎の調整項目情報に基づいて、調整対象となったユニットに対する調整項目を設定する工程と、
前記複数の画像読取部各々との接続状態を示す接続情報により前記複数の画像読取部のうち少なくとも一つが接続状態にある場合には、当該接続状態にある画像読取部のうちいずれか一つを自動的に選択する工程と、
を含み、
前記複数の画像読取部のうちいずれか一つを選択する工程は、前記設定された調整項目に画質調整を示す項目が含まれている場合に実行され、
前記画像形成部により形成される画像を当該選択した画像読取部に読み取らせる工程と、
前記読み取った画像に基づいて画質調整を行う工程と、
をさらに含み、
前記複数の画像読取部のうちいずれか一つを選択する工程は、複数の給紙トレイ各々に格納されている用紙のサイズを示す格納用紙サイズ情報と、前記複数の画像読取部各々の読取可能な用紙のサイズを示す読取用紙サイズ情報と、のうち、前記画像が形成される用紙が給紙される給紙トレイの前記格納用紙サイズ情報及び前記読取用紙サイズ情報に基づいて、前記複数の画像読取部のうちいずれか一つを選択すること、
を特徴とする画質調整方法。
【発明の詳細な説明】
【技術分野】
【０００１】
本発明は、画像形成装置及び画質調整方法に関する。
【背景技術】
【０００２】
近年、複数の部品を用いて画像形成動作を行う画像形成装置において、当該複数の部品のうち交換可能な部品の交換作業は、保守作業員（カスタマエンジニアやサービスマンとも称される）が実施することが主である。交換作業が比較的簡単かつ安全に行える部品に対しては、画像形成装置を利用する利用者（ユーザ）によって部品交換作業が実施される場合がある。このようなユーザによる交換作業が可能な仕組み（ＯＲＵ−Ｍ：Operator Replaceable Unit-Management）は、一般的に採用されつつある。ＯＲＵ−Ｍの採用により、ユーザが部品を交換することができるため、ダウンタイムの軽減及びサービスコストの削減が図られている。
【０００３】
例えば、出力画像や画像形成装置に使用者が異常やメンテナンスの必要性を感じ異常報知ボタンを押下した際、画像判定用のトナー像を形成し、当該画像判定用のトナー像のパターン解析処理の結果に基づいて交換すべきユニットを特定し、交換すべきユニットを交換するための情報を報知したり、交換すべきユニットのロックを解除したりする技術が開示されている（特許文献１参照）。
【０００４】
また、エラーコードを参照して交換又は補修が必要となる修理対象部品を特定し、交換又は補修するために取り外しをしなければならない関連部品を特定して表示し、修理対象部品の修理内容が交換であるか補修であるかに応じて交換作業又は修理作業に係る情報を報知する技術が開示されている（特許文献２参照）。
【先行技術文献】
【特許文献】
【０００５】
【特許文献１】特開２００９−４２６９１号公報
【特許文献２】特開２０１０−１８２０８３号公報
【発明の概要】
【発明が解決しようとする課題】
【０００６】
ＯＲＵ−Ｍを採用した部品交換が行なわれた場合には、現在の画像形成装置の状態に交換した部品を適合すべく、各種調整を行なう必要がある。
しかしながら、交換部品に対する調整項目のうち、複数の手段のうちいずれかを用いて調整を行う調整項目においては、ユーザが複数の手段のうちいずれかを選択する必要があった。例えば、読み取ったテスト画像に基づいて画質調整を行う調整項目の場合、テスト画像を読み取る読取手段が複数ある場合には、どの読取手段が最適であるかを専門的な知識のないユーザが判断することは困難であり、また、ユーザにとって煩雑な作業である。
【０００７】
本発明の課題は、上記問題に鑑みて、調整処理を実行する際のユーザの作業負担を低減し、作業性を向上させることである。
【課題を解決するための手段】
【０００８】
請求項１に記載の発明は、用紙に形成された画像を読み取る画像読取部が複数接続可能な画像形成装置において、前記画像形成装置を構成するユニットを調整するためのユニット毎の調整項目情報と、前記画像形成装置と前記複数の画像読取部各々との接続状態を示す接続情報とを記憶する記憶部と、用紙に画像を形成する画像形成部と、前記調整項目情報に基づいて調整対象となったユニットに対する調整項目を設定し、当該設定された調整項目に画質調整を示す項目が含まれ、かつ、前記接続情報により前記複数の画像読取部のうち少なくとも一つが接続状態である場合には、当該接続状態にある画像読取部のうちいずれか一つを自動的に選択し、前記画像形成部により形成される画像を当該選択した画像読取部に読み取らせ、当該読み取った画像に基づいて画質調整を行う制御部と、サイズ毎に用紙を格納する給紙トレイを複数有し、当該給紙トレイのいずれかから用紙を給紙する給紙部と、を備え、前記記憶部は、前記給紙トレイ各々に格納されている用紙のサイズを示す格納用紙サイズ情報と、前記複数の画像読取部各々の読取可能な用紙のサイズを示す読取用紙サイズ情報と、を記憶しており、前記制御部は、前記画像が形成される用紙が給紙される給紙トレイの前記格納用紙サイズ情報及び前記読取用紙サイズ情報に基づいて、前記複数の画像読取部のうちいずれか一つを選択する画像形成装置である。
【００１１】
請求項２に記載の発明は、請求項１に記載の画像形成装置において、前記複数の画像読取部は、用紙に形成された画像を読み取る第１の画像読取部、用紙搬送経路上に設けられており搬送中の用紙に形成された画像を読み取る第２の画像読取部、であり、前記制御部は、前記接続情報により前記第１の画像読取部及び前記第２の画像読取部が接続状態である場合には、前記第１の画像読取部を優先して選択すること、を特徴とする。
【００１２】
請求項３に記載の発明は、請求項１又は２に記載の画像形成装置において、前記画像形成部により形成される画像に基づいて画質調整に関する情報の入力を受け付ける入力部を備え、前記制御部は、前記接続情報により前記複数の画像読取部いずれもが非接続状態である場合には、前記入力部により受け付けられた画質調整に関する情報に基づいて画質調整を行うこと、を特徴とする。
【００１４】
請求項４に記載の発明は、用紙に形成された画像を読み取る画像読取部が複数接続可能な画像形成装置における画質調整方法において、前記画像形成装置を構成するユニットを調整するためのユニット毎の調整項目情報に基づいて、調整対象となったユニットに対し調整項目を設定する工程と、前記複数の画像読取部各々との接続状態を示す接続情報により前記複数の画像読取部のうち少なくとも一つが接続状態である場合には、当該接続状態にある画像読取部のうちいずれか一つを自動的に選択する工程と、を含み、前記複数の画像読取部のうちいずれか一つを選択する工程は、前記設定された調整項目に画質調整を示す項目が含まれている場合に実行され、前記画像形成部により形成される画像を当該選択した画像読取部に読み取らせる工程と、前記読み取った画像に基づいて画質調整を行う工程と、をさらに含み、前記複数の画像読取部のうちいずれか一つを選択する工程は、複数の給紙トレイ各々に格納されている用紙のサイズを示す格納用紙サイズ情報と、前記複数の画像読取部各々の読取可能な用紙のサイズを示す読取用紙サイズ情報と、のうち、前記画像が形成される用紙が給紙される給紙トレイの前記格納用紙サイズ情報及び前記読取用紙サイズ情報に基づいて、前記複数の画像読取部のうちいずれか一つを選択すること、を特徴とする画質調整方法である。
【発明の効果】
【００１５】
本発明によれば、調整処理を実行する際のユーザの作業負担を低減でき、作業性を向上させることができる。
【図面の簡単な説明】
【００１６】
【図１】画像形成装置の概略断面構成図である。
【図２】画像形成装置の制御ブロック図である。
【図３】調整前のガンマ曲線Ｌ１、オフセットラインＬ２、調整後のガンマ曲線Ｌ３の例を示す図である。
【図４】調整項目情報の例を示す図である。
【図５】調整項目設定処理のフローチャートである。
【図６】メニュー設定画面の例を示す図である。
【図７】画質調整画面の例を示す図である。
【図８】交換ユニット設定画面の例を示す図である。
【図９】調整項目画面の例を示す図である。
【図１０】画像読取部選択処理のフローチャートである。
【図１１】画像読取部選択処理の他の例のフローチャートである。
【図１２】スキャナ部を用いたプリンタガンマオフセット調整の処理のフローチャートである。
【図１３】プリンタガンマオフセット調整画面の例を示す図である。
【図１４】印刷モード画面の例を示す図である。
【図１５】ＲＵを用いたプリンタガンマオフセット調整の処理のフローチャートである。
【図１６】プリンタガンマオフセット調整画面の例を示す図である。
【図１７】手動プリンタガンマオフセット調整の処理のフローチャートである。
【図１８】プリンタガンマオフセット調整画面の例を示す図である。
【図１９】テスト画像の例を示す図である。
【発明を実施するための形態】
【００１７】
以下、図を参照して本発明の実施の形態を詳細に説明する。
まず、構成を説明する。
図１に、本実施の形態における画像形成装置の概略断面構成図を示す。
図１に示すように、画像形成装置１は、用紙の搬送経路の上流側から、画像形成本体装置１０、リレーユニット（以下、ＲＵ）２０、後処理装置３０等が連結された構成である。
【００１８】
画像形成本体装置１０は、原稿から画像を読み取り、読み取った画像を用紙に画像形成したり、外部装置等からＰＤＬ（Page Description Language）形式やＴｉｆｆ形式等のページ記述言語形式のプリントデータ、及び、当該プリントデータに対する各種出力指示が設定されたプリント設定データを受信し、受信したプリントデータ及びプリント設定データ等に基づいて画像を用紙上に画像形成する。画像形成本体装置１０は、スキャナ部１１、操作表示部１２、プリント部１３等を備えて構成される。
【００１９】
スキャナ部１１は、ＡＤＦ（Auto Document Feeder）と称される自動原稿送り部と読取部とを備え、操作表示部１２により受け付けられた設定情報に基づいて用紙上に形成された画像を読み取り、アナログ信号の画像データを生成する。自動原稿送り部の原稿トレイに載置された用紙は、読取個所であるコンタクトガラスに搬送され、光学系により用紙の片面又は両面の画像が読み取られ、ＣＣＤ（Charge Coupled Device）１１１により用紙上の画像が読み取られる。ここで、画像とは、図形や写真等の画像データに限らず、文字や記号等のテキストデータ等も含む意である。
従って、スキャナ部１１は、用紙に形成された画像を読み取る第１の画像読取部としての機能を実現する。
【００２０】
操作表示部１２は、ＬＣＤ（Liquid Crystal Display）１２１、ＬＣＤ１２１を覆うように設けられたタッチパネル、各種スイッチやボタン、テンキー、操作キー群等から構成される。操作表示部１２は、ユーザからの指示を受け付けその操作信号を制御部１５０に出力し、また、制御部１５０から入力される表示信号に従って、各種操作指示や設定情報を入力するための各種設定画面や各種処理結果等を表示する。
【００２１】
プリント部１３は、電子写真方式の画像形成処理を行うものであり、給紙部１３１、用紙搬送部１３２、各色の画像形成部１３３、定着ユニット１３４等のプリント出力に係る各部を備えて構成される。
なお、本実施の形態のプリント部１３では、電子写真方式を適用した例を説明するが、これに限らず、インクジェット方式、熱昇華方式等、他のプリント方式を適用することとしてもよい。
【００２２】
給紙部１３１は、複数の給紙トレイと給紙トレイ毎に設けられた給紙ローラ、分離ローラ、給紙／分離ゴム、送り出しローラ等からなる給紙手段を備える。各給紙トレイには、用紙の種類（紙種、坪量、用紙サイズ等）毎に予め識別された用紙が格納されており、給紙トレイに格納されている用紙の最上部から一枚ずつ給紙手段により用紙が用紙搬送部１３２に向けて搬送される。
【００２３】
用紙搬送部１３２は、給紙部１３１から搬送された用紙を、複数の中間ローラ、レジストローラ等を経る画像形成部１３３への用紙搬送経路上に用紙を搬送し、画像形成部１３３の二次転写位置へと搬送する。用紙は、レジストローラの上流側で一旦待機し、画像形成部１３３の書き込みタイミングに応じて、レジストローラの下流側への搬送が再開される。
【００２４】
画像形成部１３３は、感光体ドラム、帯電ユニット、露光ユニット、現像器ユニット、一次転写ローラ、クリーニング装置等を備え、印刷画像データに基づき用紙上に画像が形成された出力物を生成する。画像形成本体装置１０がカラー画像を形成するものである場合には、画像形成部１３３が色毎に設けられる。
【００２５】
イエロー（Ｙ）の画像を形成する画像形成部１３３ｙでは、帯電ユニットにより帯電された感光体ドラムの表面に、露光ユニットからイエロー（Ｙ）の印刷画像データに応じた光が照射され静電潜像が書き込まれる。そして、静電潜像が書き込まれた感光体ドラムの表面に、帯電したイエロー（Ｙ）のトナーが現像器ユニットにより付着されて静電潜像が現像される。現像器ユニットにより感光体ドラム上に付着したトナーは、感光体ドラムが一定速度で回転されることにより、一次転写ローラが配置された一次転写位置で中間転写ベルト１３３ａに転写される。中間転写ベルト１３３ａにトナーが転写された後、クリーニング装置により、感光体ドラムの表面の残留電荷や残留トナー等が除去され、除去されたトナー等はトナー回収箱へ回収される。
【００２６】
同様に、マゼンタ（Ｍ）、シアン（Ｃ）、ブラック（Ｋ）の各色の画像を形成する画像形成部１３３ｍ、１３３ｃ、１３３ｋは、感光体ドラムの周囲に配置された帯電ユニット、露光ユニット、現像器ユニット、一次転写ローラ、クリーニング装置等を備え、マゼンタ（Ｍ）、シアン（Ｃ）、ブラック（Ｋ）のトナー像をそれぞれ形成する。
【００２７】
中間転写ベルト１３３ａに転写された各色のトナー像は、二次転写ローラが配置された二次転写位置で用紙に一括転写される。
【００２８】
定着ユニット１３４は、定着ヒータ、定着ローラ、定着外部加熱部等から構成され、用紙に転写されたトナー像を熱定着する。
定着ユニット１３４により定着処理された用紙は、排紙ローラ等によりＲＵ２０に搬送される。
【００２９】
ＲＵ２０は、ＩＤＣ（Image Density Control）センサ２１１や各種搬送ローラ等を備えて構成される。
ＩＤＣセンサ２１１は、ＬＥＤ光源、受光素子、レンズ、レンズホルダ等を備えて構成される反射型センサであり、用紙搬送経路上に設けられている。ＩＤＣセンサ２１１は、用紙に定着して形成された画像をイエロー（Ｙ）、マゼンタ（Ｍ）、シアン（Ｃ）、ブラック（Ｋ）毎に測色して読み取り、測色により得られた各色の濃度に応じた側色データを生成する。
【００３０】
ＲＵ２０は、画像形成本体装置１０が用紙にテスト画像を画像形成すると、ＩＤＣセンサ２１１によりテスト画像を読み取り、読み取って生成した側色データを制御部１５０に出力する。従って、ＩＤＣセンサ２１１を備えたＲＵ２０は、第２の画像読取部としての機能を実現する。
なお、ＲＵ２０は、画像形成本体装置１０から搬入される用紙の搬送スピードと、後処理装置３０へ搬出する用紙の搬送スピードとの同期をとる機能を備えてもよい。
【００３１】
後処理装置３０は、反転ユニット、ソートユニット、ステイプルユニット、パンチユニット、折ユニット、冊子ユニット等の各種後処理ユニットと、排紙トレイ等を備え、画像形成本体装置１０からの指示に従って、搬入された用紙に対して各種後処理を施し、後処理が施された用紙を排紙トレイに排出する。
【００３２】
図２に、本実施の形態における画像形成装置１の制御ブロック図を示す。
図２に示すように、画像形成装置１は、画像形成本体装置１０、ＲＵ２０、後処理装置３０から構成されている。
【００３３】
画像形成本体装置１０は、スキャナ部１１、操作表示部１２、プリント部１３、コントローラ１４、画像制御基板１５等を備えて構成されている。画像形成本体装置１０は、コントローラ１４のＬＡＮＩＦ（Local Area Network InterFace）１４４を介してネットワーク３上の外部装置２と相互にデータが送受信可能に接続されている。
【００３４】
スキャナ部１１は、上述した自動原稿送り部及び読取部と、画像読取制御部１１０とを備える。画像読取制御部１１０は、制御部１５０からの指示に基づいて自動原稿送り部及び読取部等を制御して、用紙に形成された画像を読み取るスキャナ機能を実現させる。スキャナ部１１により読み取られたアナログ信号の画像データは、読取処理部１５４に出力され、読取処理部１５４においてＡ／Ｄ変換され各種画像処理が施される。
【００３５】
操作表示部１２は、上述したＬＣＤ１２１やタッチパネル等と、操作表示制御部１２０とを備える。操作表示制御部１２０は、制御部１５０から入力される表示信号に従って、各種設定条件を入力するための各種画面や各種処理結果等をＬＣＤに表示させる。また、操作表示制御部１２０は、各種スイッチやボタン、スタートキー、テンキー、操作キー群又はタッチパネル等から入力される操作信号を制御部１５０に出力する。
【００３６】
プリント部１３は、上述した給紙部１３１、用紙搬送部１３２、各色の画像形成部１３３、定着ユニット１３４等のプリント出力に係る各部と、プリント制御部１３０とを備える。プリント制御部１３０は、制御部１５０からの指示に従って各色の画像形成部１３３等のプリント部１３の各部の動作を制御し、書込処理部１５９から入力された印刷画像データに基づいて画像形成を行わせる。
【００３７】
コントローラ１４は、ネットワーク３に接続される外部装置２等から画像形成装置１に入力されるデータの管理及び制御を行うものであり、外部装置２からプリント対象のデータ（プリントデータ及びプリント設定データ）を受信し、当該プリントデータを展開して生成した画像データとプリント設定データとを画像制御基板１５へ送信する。
コントローラ１４は、コントローラ制御部１４１、ＤＲＡＭ（Dynamic Random Access Memory）制御ＩＣ１４２、画像メモリ１４３、ＬＡＮＩＦ１４４等から構成される。
【００３８】
コントローラ制御部１４１は、コントローラ１４各部の動作を統括的に制御し、ＬＡＮＩＦ１４４を介して外部装置２から入力されるプリントデータを展開してビットマップ形式の画像データの生成を行う。
【００３９】
ＤＲＡＭ制御ＩＣ１４２は、ＬＡＮＩＦ１４４により受信されたプリントデータのコントローラ制御部１４１への転送や、画像メモリ１４３に対する画像データ及びプリント設定データの書き込み／読み出しを制御する。また、ＤＲＡＭ制御ＩＣ１４２は、画像制御基板１５のＤＲＡＭ制御ＩＣ１５６とＰＣＩ（Peripheral Components Interconnect）バスで接続されており、コントローラ制御部１４１からの指示に従って、プリント対象の画像データ及びプリント設定データを画像メモリ１４３から読み出してＤＲＡＭ制御ＩＣ１５６に出力する。
【００４０】
画像メモリ１４３は、ＤＲＡＭ等の揮発性のメモリにより構成され、受信したプリントデータ及びプリント設定データや、生成した画像データ等を一時的に記憶する。
【００４１】
ＬＡＮＩＦ１４４は、ＮＩＣ（Network Interface Card）やモデム等のＬＡＮ等のネットワーク３に接続するための通信インターフェイスであり、外部装置２からプリントデータやプリント設定データを受信する。受信されたプリントデータやプリント設定データは、ＤＲＡＭ制御ＩＣ１４２に出力される。
【００４２】
画像制御基板１５は、制御部１５０、不揮発メモリ１５１、ＲＡＭ（Random Access Memory）１５２、記憶部１５３、読取処理部１５４、圧縮ＩＣ１５５、ＤＲＡＭ制御ＩＣ１５６、画像メモリ１５７、伸長ＩＣ１５８、書込処理部１５９等を備える。
【００４３】
制御部１５０は、ＣＰＵ（Central Processing Unit）等から構成され、不揮発メモリ１５１に格納されているシステムプログラム及び各種アプリケーションプログラムの中から指定されたプログラムを読み出してＲＡＭ１５２に展開し、ＲＡＭ１５２に展開されたプログラムとの協働で、各種処理を実行し、画像形成本体装置１０の各部を集中制御する。
【００４４】
また、制御部１５０は、不揮発メモリ１５１から読み出した本実施の形態に係る調整項目設定処理プログラム、画像読取部選択処理プログラム、当該プログラム及び各種データに基づいて、調整項目設定処理及び画像読取部選択処理を実行する。
【００４５】
調整項目設定処理は、ＯＲＵ−Ｍモードの場合に実行される。
なお、ＯＲＵ−Ｍモードとは、ユーザによって画像形成装置１を構成するユニット交換作業が実施されるモードである。
調整項目設定処理では、ＯＲＵ−Ｍモードにおいて交換されたユニットに対して、記憶部１５３に記憶されている調整項目情報に基づき画像形成装置１内で実行される調整項目が設定され、当該設定された調整項目に対応する調整処理が実行される。
【００４６】
画像読取部選択処理は、調整項目設定処理において設定された調整項目のうち、画質調整に関する項目が設定された場合に実行される。
画像読取部選択処理では、複数の画像読取部（本実施の形態では、スキャナ部１１、ＲＵ２０）各々との接続状態を示す接続情報に基づき複数の画像読取部のうちいずれか一つが選択される。そして、選択された画像読取部を用いて、画像形成部により形成されたテスト画像が読み取られ、当該読み取られたテスト画像に基づき画質調整（本実施の形態では、プリンタガンマオフセット調整）が行われる。
【００４７】
プリンタガンマオフセット調整では、各色（Ｙ，Ｍ，Ｃ，Ｋ）のガンマ曲線の立ち上がり特性を補正するためのオフセット値が設定される。
【００４８】
図３に、調整前のガンマ曲線Ｌ１、オフセットラインＬ２、調整後のガンマ曲線Ｌ３の例を示す。
図３に示すように、調整前のガンマ曲線Ｌ１の立ち上がり部分は、入力に対して出力が遅れている。そこで、ｙ＝−Ａｘ+Ｓで示されるような直線（オフセットラインＬ２）をオフセット量として調整前のガンマ曲線Ｌ１に加えることにより、調整後のガンマ曲線Ｌ３（＝Ｌ１+Ｌ２）のように立ち上がり部分を改善することができる。
このように、プリンタガンマオフセット調整では、オフセットラインＬ２のＳの値（オフセット値）を調整することにより、ガンマ曲線の特性を調整している。
【００４９】
不揮発メモリ１５１は、画像形成に係る各種処理プログラム及び各種データの他、本実施の形態に係る調整項目設定処理プログラム、画像読取部選択処理プログラム、各種プログラムで処理されたデータ、各色のオフセット値等を記憶する。
【００５０】
ＲＡＭ１５２は、制御部１５０により実行される各種プログラム及びこれらプログラムに係る各種データ等を一時的に記憶するワークエリアを形成する。また、ＲＡＭ１５２は、コントローラ１４から入力された画像データ及びプリント設定データ、又は、スキャナ部１１から入力された画像データ及び当該画像データが取得される際に操作表示部１２により設定された設定情報、に基づいて制御部１５０により生成されたジョブデータを一時的に記憶する。
【００５１】
記憶部１５３は、ＨＤＤ（Hard disk drive）等の不揮発性のメモリから構成されており、接続情報、格納用紙サイズ情報、読取用紙サイズ情報、選択履歴情報（選択回数）、調整項目情報等を記憶する。
【００５２】
接続情報は、画像形成装置１と画像読取部各々との接続状態を示す。本実施の形態では、スキャナ部１１との接続状態を示す接続情報、ＲＵ２０との接続状態を示す接続情報である。
格納用紙サイズ情報は、給紙トレイ各々に格納されている用紙のサイズに関する情報である。
読取用紙サイズ情報は、複数の画像読取部（スキャナ部１１、ＲＵ２０）各々の読取可能な用紙のサイズに関する情報である。
選択履歴情報は、画像読取部（スキャナ部１１、ＲＵ２０）毎に記憶されている。選択履歴情報は、画質調整を行う際にテスト画像を読み取る画像読取部として選択する指示を操作表示部１２により受け付けた回数（選択回数）である。
調整項目情報は、画像形成装置を構成する複数の部品（ユニット）各々に対して、交換された場合に必要となる調整項目に関する情報である。
【００５３】
図４に、調整項目情報の例を示す。
図４に示すように、調整項目情報には、各部品（ユニット）に対して、交換後に必要となる調整項目に関する情報が設定されている。
例えば、現像器ユニットに対しては、現像剤の投入後に、トナー濃度センサ初期調整、ガンマ調整、プリンタガンマオフセット調整が調整項目として設定されている。
【００５４】
読取処理部１５４は、スキャナ部１１のＣＣＤ１１１から入力されるアナログ信号の画像データに対して、アナログ処理、Ａ／Ｄ変換処理、シェーディング処理等の各種処理を施した後、デジタル信号の画像データを生成する。
【００５５】
圧縮ＩＣ１５５は、入力されたデジタル信号の画像データに圧縮処理を施す。
【００５６】
ＤＲＡＭ制御ＩＣ１５６は、制御部１５０からの指示に従って、圧縮ＩＣ１５５による画像データの圧縮処理及び伸長ＩＣ１５８による圧縮画像データの伸長処理を制御するとともに、画像メモリ１５７への画像データの入出力制御を行う。
【００５７】
また、ＤＲＡＭ制御ＩＣ１５６は、スキャナ部１１により読み取られた画像データの保存指示が制御部１５０から入力されると、読取処理部１５４に入力された画像データの圧縮処理を圧縮ＩＣ１５５により実行させて、圧縮画像データを画像メモリ１５７の圧縮メモリ１５７ａに格納し記憶させる。また、ＤＲＡＭ制御ＩＣ１５６は、コントローラ１４のＤＲＡＭ制御ＩＣ１４２から画像データが入力されると、当該画像データの圧縮処理を圧縮ＩＣ１５５により実行させ、圧縮画像データを画像メモリ１５７の圧縮メモリ１５７ａに格納し記憶させる。
【００５８】
更に、ＤＲＡＭ制御ＩＣ１５６は、圧縮メモリ１５７ａに記憶された圧縮画像データのプリント出力指示が制御部１５０から入力されると、圧縮メモリ１５７ａから圧縮画像データを読み出し、伸長ＩＣ１５８により伸長処理を施してページメモリ１５７ｂに記憶させる。さらに、ページメモリ１５７ｂに記憶された画像データのプリント出力指示が入力されると、ページメモリ１５７ｂから画像データを読み出して書込処理部１５９に出力する。
【００５９】
画像メモリ１５７は、ＤＲＡＭ（Dynamic RAM）から構成される圧縮メモリ１５７ａとページメモリ１５７ｂとを備える。圧縮メモリ１５７ａは、圧縮画像データを記憶するためのメモリであり、ページメモリ１５７ｂは、プリント出力用の画像データを一時的に記憶、又は、コントローラからの受信データを圧縮前に一時的に記憶するためのメモリである。
【００６０】
伸長ＩＣ１５８は、圧縮画像データに伸長処理を施す。
【００６１】
書込処理部１５９は、ＤＲＡＭ制御ＩＣ１５６から入力された画像データに基づいて、画像形成のための印刷画像データを生成し、プリント部１３に出力する。
【００６２】
ＲＵ２０は、ＲＵ制御部２１０、ＩＤＣセンサ２１１等が設けられており、ＩＤＣセンサ２１１は、ＲＵ制御部２１０により制御されている。
ＲＵ制御部２１０は、制御部１５０からプリント制御部１３０を介して入力された指示に従って、画像形成本体装置１０から搬入された用紙に形成されたテスト画像をＩＤＣセンサ２１１により読み取らせ、各色の側色データを制御部１５０へ出力させる制御を行う。
【００６３】
後処理装置３０は、各種後処理ユニット３１１、各種後処理ユニットへ用紙を搬送する搬送ローラ等の搬送手段、各種後処理ユニットから搬送された用紙が排紙される排紙トレイ等が設けられており、各種後処理ユニットは後処理制御部３１０により統括的に制御されている。後処理制御部３１０は、制御部１５０からプリント制御部１３０を介して入力される後処理の指示信号に応じて、用紙を搬送経路に沿って所定の後処理ユニットに搬送し、各部を駆動制御して用紙に所定の後処理を行わせ、排紙トレイに排紙させる制御を行う。
【００６４】
次に、本実施の形態の動作を説明する。
図５に、本実施の形態における調整項目設定処理のフローチャートを示す。
図５に示す調整項目設定処理は、画像形成本体装置１０の制御部１５０において実行され、制御部１５０と各部とが協働して実行する。
【００６５】
まず、制御部１５０は、操作表示部１２のＬＣＤ１２１上に表示されたメニュー設定画面からＯＲＵ−Ｍボタンが押下されたことにより、ＯＲＵ−Ｍモードに設定されたか否かを判別する（ステップＳ１）。
【００６６】
図６に、メニュー設定画面Ｇ１の例を示す。
図６に示すように、メニュー設定画面Ｇ１には、ＯＲＵ−Ｍモードを選択する指示を受け付けるＯＲＵ−ＭボタンＢ１、その他、画像形成装置１に対して設定可能な項目を選択するための各種ボタンが設けられている。
【００６７】
制御部１５０は、ＯＲＵ−Ｍモードが設定されておらず（ステップＳ１；ＮＯ）、調整項目の設定が操作表示部１２から受け付けられると（ステップＳ２）、当該受け付けられた調整項目としてプリンタガンマオフセット調整があるか否かを判別する（ステップＳ３）。
【００６８】
調整項目としてプリンタガンマオフセット調整がない場合（ステップＳ３；ＮＯ）、制御部１５０は、受け付けられた各調整項目に対する処理の実行に移行し、本調整項目設定処理を終了する。調整項目としてプリンタガンマオフセット調整がある場合（ステップＳ３；ＹＥＳ）、制御部１５０は、画質調整画面を操作表示部１２のＬＣＤ１２１上に表示させる（ステップＳ４）。
【００６９】
図７に、画質調整画面Ｇ２の例を示す。
図７に示すように、画質調整画面Ｇ２には、ＲＵボタンＢ２１、スキャナボタンＢ２２、手動ボタンＢ２３等が設けられており、ＲＵボタンＢ２１、スキャナボタンＢ２２、手動ボタンＢ２３のうちいずれか一つが選択されることによって、画質調整を行う際にテスト画像を読み取る画像読取部の選択指示が受け付けられる。
従って、画質調整画面Ｇ２を表示する操作表示部１２は、選択指示部としての機能を実現する。
【００７０】
ＲＵボタンＢ２１は、プリンタガンマオフセット調整を行う際に、ＲＵ２０を用いてテスト画像を読み取り、当該ＲＵ２０により読み取られた側色データに基づいてプリンタガンマオフセット調整を行う指示を受け付ける。
スキャナボタンＢ２２は、プリンタガンマオフセット調整を行う際に、スキャナ部１１を用いてテスト画像を読み取り、当該スキャナ部１１により読み取られた画像データに基づいてプリンタガンマオフセット調整を行う指示を受け付ける。
手動ボタンＢ２３は、プリンタガンマオフセット調整を行う際に、ユーザが目視にてテスト画像を確認し、ユーザにより操作表示部１２から入力された調整値に応じてプリンタガンマオフセット調整を行う指示を受け付ける。
【００７１】
制御部１５０は、画質調整画面上のＲＵボタンＢ２１、スキャナボタンＢ２２、手動ボタンＢ２３のいずれか一つが押下されることによって、画像読取部の選択指示を受け付けると、選択されたボタンに対する画像読取部に対する選択履歴情報（選択回数）をインクリメントし、当該選択された画像読取部を用いたプリンタガンマオフセット調整の処理の実行を開始し、本調整項目設定処理を終了する。
【００７２】
一方、ＯＲＵ−Ｍモードに設定された場合（ステップＳ１）、制御部１５０は、操作表示部１２のＬＣＤ１２１上に交換ユニット設定画面を表示させる（ステップＳ６）。
【００７３】
図８に、交換ユニット設定画面の例を示す。
図８に示すように、交換ユニット設定画面Ｇ３には、交換ユニット一覧領域Ｅ１が設けられている。
交換ユニット一覧領域Ｅ１には、ユーザが交換可能なユニット毎に、ユニット名称、ライフサイクル、交換実施日、交換理由等の情報が表示されている。また、交換ユニット一覧領域Ｅ１には、ユニット毎に、チェックボックスが設けられている。チェックボックスにチェックが入れられたユニットは、交換対象のユニットとして設定される。
【００７４】
制御部１５０は、交換ユニット設定画面Ｇ３により交換対象のユニットの設定が行われると、調整項目情報を参照し、当該交換対象のユニット対する調整項目を設定する（ステップＳ７）。そして、制御部１５０は、操作表示部１２のＬＣＤ１２１上に調整項目画面を表示させる（ステップＳ８）。
【００７５】
図９に、調整項目画面Ｇ４の例を示す。
図９に示す調整項目画面Ｇ４は、交換対象のユニットが現像器ユニットである場合の調整項目画面の例である。
図９に示すように、調整項目画面Ｇ４には、ユニット交換後に実行される調整項目、当該調整項目の実効順番、各調整項目の処理に要する時間が表示されており、スタートボタンＢ４が設けられている。
ユーザは、調整項目画面Ｇ４に表示された内容を確認して、スタートボタンＢ４を押下する。
【００７６】
制御部１５０は、調整項目画面Ｇ４のスタートボタンＢ４が押下されると、実行順番に従って設定された調整項目に対する調整処理の実行を開始する（ステップＳ９）。制御部１５０は、設定された調整項目にプリンタガンマオフセット調整があるか否かを判別し（ステップＳ１０）、プリンタガンマオフセット調整がない場合（ステップＳ１０；ＮＯ）、本調整項目設定処理を終了する。
【００７７】
プリンタガンマオフセット調整がある場合（ステップＳ１０；ＹＥＳ）、制御部１５０は、プリンタガンマオフセット調整の実行を開始する際に、画像読取部選択処理を実行し（ステップＳ１１）、本調整項目設定処理を終了する。
【００７８】
図１０、図１１を参照して、本実施の形態における画像読取部選択処理のフローチャートを示す。なお、画像読取部選択処理は、図１０又は図１１のうち予め設定されたいずれか一方の処理が実行される。
図１０、図１１に示す画像読取部選択処理は、画像形成本体装置１０の制御部１５０において実行され、制御部１５０と各部とが協働して実行する。
【００７９】
まず、図１０を参照して画像読取部選択処理を説明する。
制御部１５０は、記憶部１５３に記憶されている接続情報を参照し、スキャナ部１１が接続状態か否かを判別する（ステップＳ２１）。スキャナ部１１が接続状態である場合（ステップＳ２１；ＹＥＳ）、制御部１５０は、記憶部１５３に記憶されているスキャナ部１１の読取用紙サイズ情報と格納用紙サイズ情報とを参照し、スキャナ部１１により読取可能なサイズの用紙が給紙トレイにセット（格納）されているか否かを判別する（ステップＳ２２）。
【００８０】
スキャナ部１１により読取可能なサイズの用紙が給紙トレイにセットされている場合（ステップＳ２２；ＹＥＳ）、制御部１５０は、スキャナ部１１を用いたプリンタガンマオフセット調整の処理（後述する図１２参照）を実行し（ステップＳ２３）、本画像読取部選択処理を終了する。
【００８１】
スキャナ部１１が接続状態でない場合（ステップＳ２１；ＮＯ）、記憶部１５３に記憶されている接続情報を参照し、ＲＵ２０が接続状態か否かを判別する（ステップＳ２４）。
【００８２】
ＲＵ２０が接続状態である場合（ステップＳ２４；ＹＥＳ）、又は、スキャナ部１１により読取可能なサイズの用紙が給紙トレイにセットされていない場合（ステップＳ２２；ＮＯ）、制御部１５０は、ＲＵ２０を用いたプリンタガンマオフセット調整の処理（後述する図１５参照）を実行し（ステップＳ２５）、本画像読取部選択処理を終了する。
【００８３】
ＲＵ２０が接続状態でない場合（ステップＳ２４；ＮＯ）、制御部１５０は、ユーザにより操作表示部１２から入力された調整値に応じたプリンタガンマオフセット調整（手動プリンタガンマオフセット調整）の処理（後述する図１７参照）を実行し（ステップＳ２６）、本画像読取部選択処理を終了する。
【００８４】
次に、図１１を参照して画像読取部選択処理の他の例を説明する。
なお、図１１に示すステップＳ３１、Ｓ３３〜Ｓ３６は、図１０に示すステップＳ２１、Ｓ２３〜Ｓ２６と同様であるため、説明は省略する。
【００８５】
スキャナ部１１が接続状態である場合（ステップＳ３１；ＹＥＳ）、制御部１５０は、記憶部１５３に記憶されている選択履歴情報を参照し、スキャナ部の選択回数がＲＵの選択回数よりも多いか否かを判別する（ステップＳ３２）。
【００８６】
スキャナ部の選択回数がＲＵの選択回数よりも多い場合（ステップＳ３２；ＹＥＳ）、制御部１５０は、ステップＳ３３の処理に進む。スキャナ部の選択回数がＲＵの選択回数以下の場合（ステップＳ３２；ＮＯ）、制御部１５０は、ステップＳ３５の処理に進む。
【００８７】
図１２に、ステップＳ２３又はＳ３３において実行される、スキャナ部１１を用いたプリンタガンマオフセット調整の処理のフローチャートを示す。
制御部１５０は、操作表示部１２のＬＣＤ１２１上にプリンタガンマオフセット調整画面を表示させる（ステップＳ４１）。
【００８８】
図１３に、プリンタガンマオフセット調整画面の例を示す。
図１３に示すように、プリンタガンマオフセット調整画面Ｇ５には、各色のオフセット値が表示されるオフセット値表示領域Ｅ５、メッセージ領域Ｍ５、印刷モードボタンＢ５１、スタートボタンＢ５２等が設けられている。
なお、ステップＳ４１の段階では、メッセージ領域Ｍ５には、図１３中のメッセージは表示されない。
【００８９】
制御部１５０は、プリンタガンマオフセット調整画面の印刷モードボタンＢ５１が押下されると（ステップＳ４２）、操作表示部１２のＬＣＤ１２１上に印刷モード画面を表示させる（ステップＳ４３）。
【００９０】
図１４に、印刷モード画面の例を示す。
図１４に示すように、印刷モード画面Ｇ６には、用紙選択領域Ｅ６が設けられている。
用紙選択領域Ｅ６には、各給紙トレイに格納されている用紙のサイズや種類を表示する用紙種表示領域Ｅ６１と、トレイ選択ボタン群Ｂ６等が設けられている。
トレイ選択ボタン群Ｂ６は、給紙トレイ毎に対応するボタンから構成されており、選択されたボタンに対応する給紙トレイの選択指示を受け付ける。
【００９１】
ユーザは、印刷モード画面Ｇ６上の用紙選択領域Ｅ６を参照して、トレイ選択ボタン群Ｂ６のうちいずれかのボタンを押下することによって、テスト画像を形成する用紙が格納されている給紙トレイの選択指示の入力を行い、操作表示部１２に設けられているスタートキー（不図示）を押下する。
【００９２】
制御部１５０は、印刷モード画面Ｇ６においてトレイ選択ボタン群のうちいずれかのボタンが押下されスタートキーが押下されると、スキャナ部を用いたプリンタガンマオフセット調整に用いるテスト画像を、選択された給紙トレイに格納されている用紙に形成させ、当該テスト画像が形成された用紙を排紙トレイに排出させる（ステップＳ４４）。
【００９３】
スキャナ部を用いたプリンタガンマオフセット調整に用いるテスト画像は、主走査方向Ｘ及び副走査方向Ｙに配列された予め設定された複数個のパッチ画像からなる。各パッチ画像は、イエロー（Ｙ）、マゼンタ（Ｍ）、シアン（Ｃ）、ブラック（Ｋ）の各色の濃度の割合を変化させた色の画像である。
【００９４】
制御部１５０は、ステップＳ４４後、操作表示部１２のＬＣＤ１２１上にプリンタガンマオフセット調整画面Ｇ５を表示させる（ステップＳ４５）。ステップＳ４５において表示されるプリンタガンマオフセット調整画面Ｇ５のメッセージ領域Ｍ５には、ユーザに対して、テスト画像が形成された用紙をスキャナ部１１の読取部のコンタクトガラス（原稿ガラス）にセットし、スタートボタンＢ５２を押下させるメッセージが表示される。
【００９５】
ユーザは、プリンタガンマオフセット調整画面Ｇ５のメッセージ領域Ｍ５に表示されたメッセージに従って、テスト画像が形成された用紙をスキャナ部１１の読取部のコンタクトガラスにセットしてスタートボタンＢ５２を押下する。制御部１５０は、スタートボタンＢ５２が押下されると、スキャナ部１１に対して、テスト画像を読み取らせる（ステップＳ４６）。
【００９６】
制御部１５０は、スキャナ部１１により読み取られた画像データに基づいて、イエロー（Ｙ）、マゼンタ（Ｍ）、シアン（Ｃ）、ブラック（Ｋ）各々のオフセット値を算出し、算出した各色のオフセット値を更新して各色のガンマ曲線を補正すると共に、グレーバランス調整を行う（ステップＳ４７）。
【００９７】
制御部１５０は、プリンタガンマオフセット調整が正常に終了したか否かを判別する（ステップＳ４８）。ステップＳ４８では、例えば、スキャナ部１１によりテスト画像が読み取れなかった場合、画像データが得られなかった場合等、オフセット値が算出できなかった場合には、正常に終了していないと判別される。
【００９８】
正常に終了していない場合（ステップＳ４８；ＮＯ）、制御部１５０は、ステップＳ４１の処理に戻る。正常に終了した場合（ステップＳ４８；ＹＥＳ）、制御部１５０は、操作表示部１２のＬＣＤ１２１上に、プリンタガンマオフセット調整の処理が正常に終了したことを示す正常終了画面（不図示）を表示させ（ステップＳ４９）、本スキャナ部１１を用いたプリンタガンマオフセット調整の処理を終了する。
【００９９】
図１５に、ステップＳ２５又はＳ３５において実行される、ＲＵ２０を用いたプリンタガンマオフセット調整の処理のフローチャートを示す。
制御部１５０は、操作表示部１２のＬＣＤ１２１上にプリンタガンマオフセット調整画面を表示させる（ステップＳ５１）。
【０１００】
図１６に、プリンタガンマオフセット調整画面の例を示す。
図１６に示すように、プリンタガンマオフセット調整画面Ｇ７には、各色のオフセット値が表示されるオフセット値表示領域Ｅ７、印刷モードボタンＢ７１等が設けられている。
【０１０１】
制御部１５０は、プリンタガンマオフセット調整画面の印刷モードボタンＢ７１が押下されると（ステップＳ５２）、操作表示部１２のＬＣＤ１２１上に印刷モード画面を表示させる（ステップＳ５３）。
【０１０２】
なお、ステップＳ５３において表示される印刷モード画面は、ステップＳ４３において表示される図１４に示す印刷モード画面と同様であるため、図示及び説明は省略する。
また、ステップＳ５３において表示される印刷モード画面によるユーザの動作も、ステップＳ４３において表示される印刷モード画面によるユーザの動作と同様であるため、説明は省略する。
【０１０３】
制御部１５０は、印刷モード画面においてトレイ選択ボタン群のうちいずれかのボタンが押下されスタートキーが押下されると、ＲＵを用いたプリンタガンマオフセット調整に用いるテスト画像を、選択された給紙トレイに格納されている用紙に形成させ、当該テスト画像が形成された用紙を排紙トレイに排出させる（ステップＳ５４）。
【０１０４】
ＲＵを用いたプリンタガンマオフセット調整に用いるテスト画像について説明する。
ＲＵ２０が備えるＩＤＣセンサ２１１は、イエロー（Ｙ），マゼンタ（Ｍ），シアン（Ｃ），ブラック（Ｋ）の混合色の濃度を測定することができないため、テスト画像は、イエロー（Ｙ），マゼンタ（Ｍ），シアン（Ｃ），ブラック（Ｋ）の色毎のパッチ画像群から構成されている。例えば、テスト画像は、副走査方向にイエロー（Ｙ），マゼンタ（Ｍ），シアン（Ｃ），ブラック（Ｋ）の色毎のパッチ画像群から構成されており、各色のパッチ画像群は、複数のパッチ画像から構成され、当該複数のパッチ画像は、主走査方向Ｘに濃度（階調）が順次薄く又は濃くなるように配列されている。
【０１０５】
制御部１５０は、画像形成本体装置１０のプリント部１３により用紙に形成されたテスト画像をＲＵ２０に読み取らせる（ステップＳ５５）。
ＲＵ２０は、プリント部１３からテスト画像が形成された用紙が搬入されると、ＩＤＣセンサ２１１を用いて当該テスト画像を読み取り、側色データを生成し、当該側色データを制御部１５０へ出力する。
【０１０６】
制御部１５０は、ＲＵ２０により入力された側色データに基づいて、イエロー（Ｙ）、マゼンタ（Ｍ）、シアン（Ｃ）、ブラック（Ｋ）各々のオフセット値を算出し、算出した各色のオフセット値を更新して各色のガンマ曲線を補正し（ステップＳ５６）、本ＲＵ２０を用いたプリンタガンマオフセット調整の処理を終了する。
【０１０７】
図１７に、ステップＳ２６又はＳ３６において実行される、手動プリンタガンマオフセット調整の処理のフローチャートを示す。
制御部１５０は、操作表示部１２のＬＣＤ１２１上にプリンタガンマオフセット調整画面を表示させる（ステップＳ６１）。
【０１０８】
図１８に、プリンタガンマオフセット調整画面の例を示す。
図１８に示すように、プリンタガンマオフセット調整画面Ｇ８には、各色のオフセット値が表示されるオフセット値表示領域Ｅ８、印刷モードボタンＢ８１、セットボタンＢ８３、テンキーＢ８４、クリアボタンＢ８５等が設けられている。また、オフセット値表示領域Ｅ８には、色毎にオフセット値を変更する色を指定する色ボタンＢ８２ｙ、Ｂ８２ｍ、Ｂ８２ｃ、Ｂ８２ｋが設けられている。
【０１０９】
制御部１５０は、プリンタガンマオフセット調整画面の印刷モードボタンＢ８１が押下されると（ステップＳ６２）、操作表示部１２のＬＣＤ１２１上に印刷モード画面を表示させる（ステップＳ６３）。
【０１１０】
なお、ステップＳ６３において表示される印刷モード画面は、ステップＳ４３において表示される図１４に示す印刷モード画面と同様であるため、図示及び説明は省略する。
また、ステップＳ６３において表示される印刷モード画面によるユーザの動作も、ステップＳ４３において表示される印刷モード画面によるユーザの動作と同様であるため、説明は省略する。
【０１１１】
制御部１５０は、印刷モード画面Ｇ６においてトレイ選択ボタン群のうちいずれかのボタンが押下されスタートキーが押下されると、手動プリンタガンマオフセット調整に用いるテスト画像を、選択された給紙トレイに格納されている用紙に形成させ、当該テスト画像が形成された用紙を排紙トレイに排出させる（ステップＳ６４）。
【０１１２】
図１９に、ステップＳ６４において形成されたテスト画像Ｔ３の例を示す。
テスト画像Ｔ３は、パッチ画像群Ｐ１と、グレー階調パターンＰ２と、グレーパッチ群Ｐ３とから構成されている。
【０１１３】
パッチ画像群Ｐ１は、イエロー（Ｙ），マゼンタ（Ｍ），シアン（Ｃ），ブラック（Ｋ）の色毎のパッチ群から構成されている。図１９では、主走査方向Ｘにイエロー（Ｙ），マゼンタ（Ｍ），シアン（Ｃ），ブラック（Ｋ）の色毎のパッチ群が形成されている。各色のパッチ群は、複数のパッチから構成されており、当該複数のパッチは、副走査方向Ｙに濃度が順次薄く又は濃くなるように配列されている。また、パッチ画像群Ｐ１には、２本の基準線ＳＬが設けられている。
【０１１４】
グレー階調パターンＰ２はイエロー（Ｙ），マゼンタ（Ｍ），シアン（Ｃ）により形成されたグレーの階調変化を示す画像であり、副走査方向Ｙに濃度（階調）が薄く又は濃くなるように形成されている。また、グレー階調パターンＰ２には、チェックポイントＣＰ１、ＣＰ２が設けられている。
【０１１５】
グレーパッチ群Ｐ３は、複数個からなるグレーパッチから構成されている。各グレーパッチは、イエロー（Ｙ），マゼンタ（Ｍ），シアン（Ｃ）により形成されている。複数個のグレーパッチは、副走査方向Ｙの一方向に向かってマゼンタ（Ｍ）の濃度が薄くなり、主走査方向Ｘの一方向に向かってイエロー（Ｙ）の濃度が濃くなる。なお、シアン（Ｃ）の濃度は一定である。また、中央のグレーパッチＰ３ａは、グレー階調パターンのチェックポイントＣＰ１の位置と同一の色である。更に、グレーパッチＰ３ａの四隅に設けられた４つのサブパッチＰ３ｂは、グレー階調パターンのチェックポイントＣＰ２の位置と同一の色である。
【０１１６】
制御部１５０は、ステップＳ６４後、操作表示部１２のＬＣＤ１２１上にプリンタガンマオフセット調整画面Ｇ８を表示させ（ステップＳ６５）、シアン（Ｃ）とブラック（Ｋ）の調整が完了したか否かを判別する（ステップＳ６６）。
【０１１７】
ステップＳ６６では、プリンタガンマオフセット調整画面Ｇ８において、シアン（Ｃ）とブラック（Ｋ）のオフセット値の入力を受け付けた場合、シアン（Ｃ）とブラック（Ｋ）の調整が完了していないと判別される。
【０１１８】
シアン（Ｃ）とブラック（Ｋ）の調整が完了していない場合（ステップＳ６６；ＮＯ）、制御部１５０は、プリンタガンマオフセット調整画面Ｇ８の押下操作により入力されるシアン（Ｃ）とブラック（Ｋ）のオフセット値を受け付け、オフセット値を更新し（ステップＳ６７）、ステップＳ６１の処理に戻る。
【０１１９】
ステップＳ６７では、ユーザは、パッチ画像群Ｐ１に着目し、シアン（Ｃ）とブラック（Ｋ）のハイライト部分の色が表現されている位置が同じ、かつ、２本の基準線ＳＬの間の濃度が同一である（第１調整条件）に合致しているか否かを確認する。そして、ユーザは、第１調整条件に合致していない場合には、調整したい色（シアン（Ｃ）又はブラック（Ｋ））の色ボタンを押下し、テンキーＢ８４を押下することによりオフセット値を入力し、セットボタンＢ８３を押下する。セットボタンＢ８３が押下されることにより、テンキーＢ８４により入力されたオフセット値が確定され、受け付けられる。
【０１２０】
シアン（Ｃ）とブラック（Ｋ）の調整が完了した場合（ステップＳ６６；ＹＥＳ）、制御部１５０は、プリンタガンマオフセット調整画面Ｇ８の押下操作により入力されるイエロー（Ｙ）とマゼンタ（Ｍ）のオフセット値を受け付け、オフセット値を更新する（ステップＳ６８）。
【０１２１】
ステップＳ６８では、ユーザは、グレー階調パターンＰ２とグレーパッチ群Ｐ３に着目し、複数個のグレーパッチのうちサブパッチＰ３ｂと同じ色相のグレーパッチを選出する。そして、グレーパッチ群Ｐ３内のグレーパッチの配列位置関係において、中央のグレーパッチＰ３ａの位置に対する選出したグレーパッチの位置に基づき、調整したい色（イエロー（Ｙ）又はマゼンタ（Ｍ））の色ボタンを押下し、テンキーＢ８４を押下することによりオフセット値を入力し、セットボタンＢ８３を押下する。
【０１２２】
例えば、選出したグレーパッチの位置が中央のグレーパッチの位置よりもマゼンダ（Ｍ）の濃度が濃い位置にある場合、マゼンタ（Ｍ）の色ボタンＢ８２ｍを押下し、テンキーＢ８４を押下することによりオフセット値として正の値を入力し、セットボタンＢ８３を押下する。
【０１２３】
このように、プリンタガンマオフセット調整画面Ｇ８は、テスト画像に基づいて画質調整に関する情報（Ｙ，Ｍ，Ｃ，Ｋのオフセット値）の入力を受け付ける入力部としての機能を実現する。
【０１２４】
ステップＳ６８後、印刷モードボタンＢ８１が押下されると（ステップＳ６９）、制御部１５０は、操作表示部１２のＬＣＤ１２１上に印刷モード画面を表示させる（ステップＳ７０）。
【０１２５】
なお、ステップＳ７０において表示される印刷モード画面は、ステップＳ４３において表示される図１４に示す印刷モード画面と同様であるため、図示及び説明は省略する。
また、ステップＳ７０において表示される印刷モード画面によるユーザの動作も、ステップＳ４３において表示される印刷モード画面によるユーザの動作と同様であるため、説明は省略する。
【０１２６】
制御部１５０は、印刷モード画面においてトレイ選択ボタン群のうちいずれかのボタンが押下されスタートキーが押下されると、手動プリンタガンマオフセット調整に用いるテスト画像を、選択された給紙トレイに格納されている用紙に形成させ、当該テスト画像が形成された用紙を排紙トレイに排出させる（ステップＳ７１）。
なお、ステップＳ７１において形成されるテスト画像は、ステップＳ６４において形成されるテスト画像と同様であるため、図示及び説明は省略する。
【０１２７】
制御部１５０は、ステップＳ７１後、操作表示部１２のＬＣＤ１２１上にプリンタガンマオフセット調整画面Ｇ８を表示させ、手動プリンタガンマオフセット調整が完了したか否かを判別する（ステップＳ７２）。
【０１２８】
ステップＳ７２では、プリンタガンマオフセット調整画面Ｇ８において、イエロー（Ｙ）又はシアン（Ｍ）のオフセット値の入力を受け付けた場合、手動プリンタガンマオフセット調整が完了していないと判別される。
【０１２９】
手動プリンタガンマオフセット調整が完了していない場合（ステップＳ７２；ＮＯ）、制御部１５０は、ステップＳ６８の処理に戻る。手動プリンタガンマオフセット調整が完了した場合（ステップＳ７２；ＹＥＳ）、例えば、操作表示部１２のＯＫボタン（不図示）が押下された場合、制御部１５０は、本手動プリンタガンマオフセット調整を終了する。
【０１３０】
以上のように、本実施の形態によれば、複数の画像読取部（スキャナ部１１、ＲＵ２０）各々との接続状態を示す接続情報に基づいて複数の画像読取部のうちいずれか一つを選択でき、当該選択した画像読取部によりテスト画像を読み取らせ、当該読み取ったテスト画像に基づいて画質調整を行うことができる。そのため、調整処理を実行する際のユーザの作業負担を低減し、作業性を向上させることである。
【０１３１】
また、テスト画像が形成される用紙が給紙される給紙トレイの格納用紙サイズ情報及び複数の画像読取部各々の読取可能な用紙のサイズを示す読取用紙サイズ情報に基づいて、複数の画像読取部のうちいずれか一つを選択することができる。
例えば、スキャナ部が接続状態の場合には、格納用紙サイズ情報及びスキャナ部の読取用紙サイズ情報に基づいて、スキャナ部により読み取り可能なサイズの用紙が給紙トレイにセットされている場合のみスキャナ部を選択することができるため、スキャナ部がテスト画像を読み取れないという状況を防止できる。
【０１３２】
また、選択履歴情報に基づいて複数の画像読取部のうちいずれか一つを選択することができる。そのため、ユーザ自らが画像読取部を選択してプリンタガンマオフセット調整を行った際の選択回数が多い画像読取部を用いて画質調整を行うことができ、ユーザが好む画像読取部を用いた画質調整を行うことができる。
【０１３３】
また、図１０、図１１において、スキャナ部の接続状態を判別（ステップＳ２１、Ｓ３１、）した後にＲＵの接続状態を判別（ステップＳ２４、Ｓ３４）することから、スキャナ部及びＲＵが接続状態である場合には、スキャナ部を優先して選択することができる。
なお、画像読取精度がスキャナ部よりもＲＵの方が高い場合には、ＲＵの接続状態を判別した後にスキャナ部の接続状態を判別して、ＲＵを優先して選択してもよい。
【０１３４】
また、複数の画像読取部（スキャナ部、ＲＵ）いずれもが非接続状態である場合には、図１８に示すプリンタガンマオフセット調整画面により受け付けられた画質調整に関する情報（Ｙ，Ｍ，Ｃ，Ｋのオフセット値）に基づいて画質調整を行うことができる。
【０１３５】
また、交換されたユニットの調整項目情報に画質調整（プリンタガンマオフセット調整）を示す項目が含まれている場合には、画像読取部選択処理を行うことができる。そのため、ユニット交換に必要とされる調整を自動的に実行でき、ユーザによる作業負荷を低減させることができる。
【０１３６】
以上の説明では、本発明に係るプログラムのコンピュータ読み取り可能な媒体として不揮発メモリ１５１を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ（搬送波）も本発明に適用される。
【０１３７】
また、本発明は、上記実施の形態の内容に限定されるものではなく、本発明の主旨を逸脱しない範囲で適宜変更可能である。
【符号の説明】
【０１３８】
１  画像形成装置
２  外部装置
３  ネットワーク
１０  画像形成本体装置
１１  スキャナ部
１２  操作表示部
１３  プリント部
１４  コントローラ
１５  画像制御基板
２０  ＲＵ
３０  後処理装置
１１０  画像読取制御部
１１１  ＣＣＤ
１２０  操作表示制御部
１２１  ＬＣＤ
１３０  プリント制御部
１３１  給紙部
１３２  用紙搬送部
１３３  画像形成部
１３３ａ  中間転写ベルト
１３３ｙ、１３３ｍ、１３３ｃ、１３３ｋ  画像形成部
１３４  定着ユニット
１４１  コントローラ制御部
１４２  ＤＲＡＭ制御ＩＣ
１４３  画像メモリ
１４４  ＬＡＮＩＦ
１５０  制御部
１５１  不揮発メモリ
１５２  ＲＡＭ
１５３  記憶部
１５４  読取処理部
１５５  圧縮ＩＣ
１５６  ＤＲＡＭ制御ＩＣ
１５７  画像メモリ
１５７ａ  圧縮メモリ
１５７ｂ  ページメモリ
１５８  伸長ＩＣ
１５９  書込処理部
２１０  ＲＵ制御部
２１１  ＩＤＣセンサ
３１０  後処理制御部
３１１  後処理ユニット
Ｂ１  ＯＲＵ−Ｍボタン
Ｂ２１  ＲＵボタン
Ｂ２２  スキャナボタン
Ｂ２３  手動ボタン
Ｂ４  スタートボタン
Ｂ５１、Ｂ７１、Ｂ８１  印刷モードボタン
Ｂ５２  スタートボタン
Ｂ６  トレイ選択ボタン群
Ｂ８２ｙ、Ｂ８２ｍ、Ｂ８２ｃ、Ｂ８２ｋ  色ボタン
Ｂ８３  セットボタン
Ｂ８４  テンキー
Ｂ８５  クリアボタン
ＣＰ１、ＣＰ２  チェックポイント
Ｅ１  交換ユニット一覧領域
Ｅ５、Ｅ７、Ｅ８  オフセット値表示領域
Ｅ６  用紙選択領域
Ｅ６１  用紙種表示領域
Ｇ１  メニュー設定画面
Ｇ２  画質調整画面
Ｇ３  交換ユニット設定画面
Ｇ４  調整項目画面
Ｇ５、Ｇ７、Ｇ８  プリンタガンマオフセット調整画面
Ｇ６  印刷モード画面
Ｌ１  ガンマ曲線
Ｌ２  オフセットライン
Ｌ３   ガンマ曲線
Ｍ５  メッセージ領域
Ｐ１  パッチ画像群
Ｐ２  グレー階調パターン
Ｐ３  グレーパッチ群
Ｐ３ａ  グレーパッチ
Ｐ３ｂ  サブパッチ
ＳＬ  基準線
Ｔ３  テスト画像
Ｘ  主走査方向
Ｙ  副走査方向
【図１】
0005906567.tif 000002
【図２】
0005906567.tif 000003
【図３】
0005906567.tif 000004
【図４】
0005906567.tif 000005
【図５】
0005906567.tif 000006
【図６】
0005906567.tif 000007
【図７】
0005906567.tif 000008
【図８】
0005906567.tif 000009
【図９】
0005906567.tif 000010
【図１０】
0005906567.tif 000011
【図１１】
0005906567.tif 000012
【図１２】
0005906567.tif 000013
【図１３】
0005906567.tif 000014
【図１４】
0005906567.tif 000015
【図１５】
0005906567.tif 000016
【図１６】
0005906567.tif 000017
【図１７】
0005906567.tif 000018
【図１８】
0005906567.tif 000019
【図１９】
0005906567.tif 000020